(57)【特許請求の範囲】
【請求項１】
商品登録モードにおいてスキャナのスキャニング走査により商品に付されたコードを読取ると、そのコードに基づいて商品販売データを取得しその商品販売データを記憶部に登録処理するとともに表示部に表示出力する商品販売登録データ処理装置において、
各種商品の性能，形態等を示す商品情報の画像データを格納したデータファイルを蓄積した複数のサーバが接続されるコンピュータネットワークに接続するとともに、アクセス対象のサーバの識別情報及びデータファイルの識別情報からなるアクセス情報を前記スキャナで読取り可能なコードにコード化し、かつ、
動作モードを前記商品登録モードと商品情報参照モードとの間で切換えるモード切換手段と、
このモード切換手段により前記商品情報参照モードが指定された状態で前記スキャナにより前記アクセス情報のコードが読取られると、そのコードを解析して前記アクセス情報を取得するアクセス情報取得手段と、
このアクセス情報取得手段により取得したアクセス情報に基づき前記コンピュータネットワークを介してアクセス対象のサーバにアクセスを行い指定されたデータファイル内の商品情報画像データを取得する商品情報取得手段と、
この商品情報取得手段により取得した商品情報画像データを前記表示部に表示させる商品情報表示制御手段と、
前記モード切換手段により前記商品情報参照モードが指定された状態で前記スキャナにより前記商品に付されたコードが読取られるとエラーとする手段と、
前記モード切換手段により前記商品登録モードが指定された状態で前記スキャナにより前記アクセス情報のコードが読取られるとエラーとする手段と、
を具備したことを特徴とする商品販売登録データ処理装置。
【請求項２】
請求項１記載の商品販売登録データ処理装置において、
前記アクセス情報取得手段が取得するアクセス情報は、ＵＲＬ（Uniform Resource Locator）であることを特徴とする商品販売登録データ処理装置商品情報参照装置。
【発明の詳細な説明】
【０００１】
【発明の属する技術分野】
本発明は、商品情報参照機能を有する商品販売登録データ処理装置に関する。
【０００２】
【従来の技術】
例えば小売店において客が買上げる商品の販売データを記憶部に登録処理して商品売上げ等を管理する電子式キャッシュレジスタやＰＯＳ（販売時点情報管理）端末機等の商品販売登録データ処理装置は、スキャナのスキャニング走査により商品に付されたバーコードを読取ると、そのバーコードから商品コードを取得し、この商品コードで商品データファイルを検索して単価を読出し、この商品単価に基づいて商品販売データを算出するようにしたものが一般的である。
【０００３】
このものにおいて、商品データファイルに予め設定される商品コード，単価，商品名，税種等のステータス情報等の商品設定データを二次元データコードにエンコードして商品に付し、この二次元データコードをスキャナで読取ることにより商品販売データの登録を可能にして、商品データファイルを不要にした商品販売登録データ処理装置も開発されている。
【０００４】
ところで、例えば家電商品や自動車等の大型商品を取り扱う小売店では、客が購入しようとする商品の在庫がない場合がある。この場合において、店員は客からその商品の性能や形態等を尋ねられ、その知識がないときには、カタログを参照したり電話で製造会社に問合わせたりして対処せざるを得ず、迅速な対応ができないことがあった。
【０００５】
一方、最近ではコンピュータネットワークとしてインターネットが広く普及している。そこで、各製造会社がそれぞれ所有するコンピュータに自社製品の性能や形態等を示す商品情報の画像データを商品別に格納したデータファイルを蓄積し、このコンピュータをインターネットに接続してＷＷＷ（World Wide Web）サーバとして機能させ、小売店や個人がそれぞれ所有するコンピュータで上記ＷＷＷサーバにアクセスを行って所望する商品の画像データを格納したデータファイルをインターネットを介して取込み、コンピュータのディスプレイ画面上で参照できるようにした商品情報参照システムが考えられている。
【０００６】
【発明が解決しようとする課題】
しかしながら、インターネット上のＷＷＷサーバにアクセスしそのサーバが蓄積するデータファイルを指定する場合には、使用する通信プロトコルの種類［ＨＴＴＰ（Hyper Text Transfer Protocol）］とアクセス対象のＷＷＷサーバ及びデータファイルの識別情報であるサーバ名及びデータファイル名とからなるアクセス情報、いわゆるＵＲＬ（Uniform Resource Locator）をコンピュータのキーボードから入力する必要があった。
【０００７】
このため、前記商品情報参照システムを使用する小売店においては、各店員が商品情報を参照しようとする製造会社のＷＷＷサーバにアクセスしその商品のデータファイルを指定できるようにアクセス情報を知っておかなければならなかった上、コンピュータのキー操作に慣れていなければならなかった。
【０００８】
本発明はこのような事情に基づいてなされたものであり、その目的とするところは、サーバに蓄積されたデータファイルをアクセスするためのアクセス情報を簡単なワンタッチ操作で入力することができ、所望する商品の性能，形態等の商品情報を参照するまでの所要時間を大幅に短縮できる商品情報参照機能を有する商品販売登録データ処理装置を提供しようとするものである。
【０００９】
【課題を解決するための手段】
本発明は、商品登録モードにおいてスキャナのスキャニング走査により商品に付されたコードを読取ると、そのコードに基づいて商品販売データを取得しその商品販売データを記憶部に登録処理するとともに表示部に表示出力する商品販売登録データ処理装置において、各種商品の性能，形態等を示す商品情報の画像データを格納したデータファイルを蓄積した複数のサーバが接続されるコンピュータネットワークに接続するとともに、アクセス対象のサーバの識別情報及びデータファイルの識別情報からなるアクセス情報をスキャナで読取り可能なコードにコード化し、かつ、動作モードを商品登録モードと商品情報参照モードとの間で切換えるモード切換手段と、このモード切換手段により商品情報参照モードが指定された状態でスキャナによりアクセス情報のコードが読取られると、そのコードを解析してアクセス情報を取得するアクセス情報取得手段と、このアクセス情報取得手段により取得したアクセス情報に基づきコンピュータネットワークを介してアクセス対象のサーバにアクセスを行い指定されたデータファイル内の商品情報画像データを取得する商品情報取得手段と、この商品情報取得手段により取得した商品情報画像データを表示部に表示させる商品情報表示制御手段とを備えたものである。
【００１０】
【発明の実施の形態】
以下、本発明の一実施の形態を図１〜図８を用いて説明する。
図１において、１は商品情報参照機能を有する商品販売登録データ処理装置として作用する電子式キャッシュレジスタであって、公衆回線やＩＳＤＮ（Integrated Service Digital Broadcasting ）等の専用回線を経てコンピュータネットワークであるインターネット２に接続されている。このインターネット２上には、各商品の製造会社（Ａ社，Ｂ社，…）がそれぞれ所有し、自社製品の性能や形態等を示す商品情報の画像データを商品別に格納したデータファイルを蓄積してＷＷＷサーバとして機能するコンピュータ（以下、Ａ社サーバ３ａ，Ｂ社サーバ３ｂと称する）が接続されている。
【００１１】
電子式キャッシュレジスタ１は、図２，図３に示すように、置数キー，部門キー，小計キー，預／現計キーｋ１，取消キー等の各種キーを配設したキーボード１１、店員等のオペレータに販売登録した商品の品名及び価格や１客の合計金額等を表示するオペレータ用表示器１２、客に対して同様の情報を表示する客用表示器１３、レシート用紙に１客が買上げた商品の登録明細情報や合計情報等を印字しレシートをレシート発行口１４ａから発行するレシートプリンタ１４、現金等を収容するためのドロワ１５，スキャニング走査により二次元データコードを読取るスキャナ１６，フロッピーディスク（登録商標）挿脱口１７ａより着脱自在に挿着されたフロッピーディスク１８をアクセスしてデータを書込み及び読出しを行うＦＤＤ（Floppy Disk Drive ）装置１７及び予め搭載したハードディスクをアクセスしてデータの書込み及び読出しを行うＨＤＤ（Hard Disk Drive ）装置１９等の周辺機器を搭載している。
【００１２】
そして、これらの周辺機器を制御し商品販売データの登録処理を実行する制御部として、各種のプログラムを処理するＣＰＵ（Centrl Processing Unit）２０、プログラム等の固定的データを予め格納したＲＯＭ（Read Only Memoly）２１、商品販売データを登録するための記憶部等を形成してなるＲＡＭ（Random Access Memoly）２２、前記ＦＤＤ装置１７が接続されるＦＤＤコントローラ２３、前記ＨＤＤ装置１９が接続されるＨＤＤコントローラ２４、前記キーボード１１が接続されるキーボードコントローラ２５、前記スキャナ１６が接続されるスキャナコントローラ２６、前記ドロワ１５が接続されるドロワコントローラ２７、前記プリンタ１４が接続されるプリンタコントローラ２８、前記オペレータ用及び客用の各表示器１２，１３が接続される表示器コントローラ２９等を備えている。
【００１３】
また、この電子式キャッシュレジスタ１はモデム３０を搭載しており、このモデム３０を介してインターネット２上のコンピュータ（Ａ社サーバ３ａ，Ｂ社サーバ３ｂ等）とデータの送受信が行えるようになっている。
前記ＣＰＵ２０と、ＲＯＭ２１，ＲＡＭ２２，モデム３０及び各周辺機器のコントローラ２３〜２９とは、アドレスバス，データバス等のバスライン３１で接続されている。
【００１４】
しかして、この電子式キャッシュレジスタ１は、販売登録した商品の販売データを記憶部に登録処理する商品登録モードと、インターネット２上のＡ社サーバ３ａやＢ社サーバ３ｂにアクセスを行って商品の性能，形態等を示す商品情報の画像データを取得しその画像データを表示器１２，１３に表示させる商品情報参照モードとを切換えるモード切換手段として、キーボード１１に商品情報キーｋ２を設けるとともに、ＲＡＭ２２に商品登録モードのとき“０”にリセットされかつ商品情報参照モードのとき“１”にセットされるモード選択フラグＦを記憶している。そしてＣＰＵ２０が、図４に示すように、商品情報キーｋ２の入力に応じてモード選択フラグＦの状態を調べ、“０”にリセットされている場合には“１”にセットし、“１”にセットされている場合には“０”にリセットする商品情報キー入力処理を実行するようにプログラムを形成している。
【００１５】
また、この電子式キャッシュレジスタは、スキャナ１６のスキャニング走査により二次元データコードを読取ると、ＣＰＵ２０が、図５に示すスキャニング処理を実行するようにプログラムを形成している。
なお、二次元データコードとしては、商品コード，単価，商品名，税種等のステータス情報等の商品設定データをエンコードした商品二次元データコードと、インターネット２上のＡ社サーバ３ａ及びＢ社サーバ３ｂにアクセスしそのサーバが蓄積するデータファイルを指定するのに必要な通信プロトコルの種類とそのアクセス対象のサーバの識別情報であるサーバ名及びデータファイルの識別情報であるデータファイル名とからなるアクセス情報、いわゆるＵＲＬをエンコードしたＵＲＬ二次元データコードの２種類がある。
【００１６】
すなわちＣＰＵ２０は、このスキャニング処理を開始すると、先ず、ＳＴ（ステップ）１として前記モード選択フラグＦの状態を調べる。そして、“０”にリセットされている場合には、商品登録モードなので、ＳＴ２としてスキャナ１６で読取った二次元データコードが商品二次元データコードなのか否かを判断する。そして、商品二次元データコードであれば、ＳＴ３としてその商品二次元データコードを解析して、商品コード，単価，商品名，税種等のステータス情報等の商品設定データを取得する。そして、ＳＴ４としてこの商品設定データに基づいて商品販売データを取得し、ＲＡＭ２２の記憶部に登録処理する。また、この商品販売データをオペレータ用表示器１２及び客用表示器１３に表示させるものとなっている。
【００１７】
一方、前記モード選択フラグＦが“１”にセットされている場合には、商品情報参照モードなので、ＳＴ５としてスキャナ１６で読取った二次元データコードがＵＲＬ二次元データコードなのか否かを判断する。そして、ＵＲＬ二次元データコードであれば、ＳＴ６としてそのＵＲＬ二次元データコードを解析して、通信プロトコルの種類，サーバ名及びデータファイル名からなるアクセス情報を取得する（アクセス情報取得手段）。
【００１８】
次に、ＳＴ７としてそのアクセス情報に基づきモデム３０を介してインターネット２への接続を行う。これにより、該当する通信プロトコルでインターネット２への接続が行われ、このインターネット２を介してサーバ名の一致するサーバ（Ａ社サーバ３ａまたはＢ社サーバ３ｂ）に接続されるので、ＳＴ８としてその接続されたアクセス対象のサーバにアクセスを行い、データファイル名で指定されたデータファイルに格納された商品情報の画像データを取得する（商品情報取得手段）。
【００１９】
しかる後、ＳＴ９としてこのアクセス対象のサーバから取得した商品情報の画像データをオペレータ用表示器１２及び客用表示器１３に表示させる（商品情報表示制御手段）。
その後、ＳＴ１０として業務終了キーとして機能する預／現計キーｋ１の入力を検知すると、ＳＴ１１としてオペレータ用表示器１２及び客用表示器１３に表示した商品情報の画像データを消去して、この処理を終了する。
【００２０】
このように構成した本実施の形態の電子式キャッシュレジスタ１を使用する小売店では、各商品に商品二次元データコードを付して販売する。また、図６に示すように、製造会社Ａ社で製造されかつＡ社サーバ３ａに性能や形態等を示す商品情報の画像データが格納された各商品のリスト４０を用意する。また同様に、製造会社Ｂ社で製造されかつＢ社サーバ３Ｂに性能や形態等を示す商品情報の画像データが格納された各商品のリストも用意する。
【００２１】
因みに、リスト４０には、製品名４１とともに，Ａ社サーバ３ａをアクセスし該サーバに蓄積された該当商品のデータファイルを指定するのに必要なＵＲＬ４２と、このＵＲＬ４２をエンコードしたＵＲＬ二次元データコード４３とを印刷する。なお、この実施の形態のＵＲＬ４２において、［htpp］は通信プロトコルの種類であり、［www.xxx.co.jp ］はＡ社サーバ３ａを識別するサーバ名であり、［catalog.（製品名）］はデータファイルを識別するファイル名である。
【００２２】
さて、このような小売店の店員は、客から例えば製造会社Ａ社のパーソナルコンピュータ（以下、パソコンと略称する）の性能，形態等について質問を受けたならば、先ず、電子式キャッシュレジスタ１のキーボード１１に配設した商品情報キーｋ１を入力操作して電子式キャッシュレジスタ１の動作モードを商品登録モードから商品情報参照モードに切換える。次に、Ａ社製品リスト４０に印刷されている製品「パソコン」のＵＲＬ二次元データコード４３をスキャナ１６でスキャニングする。
【００２３】
そうすると、この二次元データコード４３が解析されて、通信プロトコルの種類［htpp］と、Ａ社サーバ３ａのサーバ名［www.xxx.co.jp ］と、Ａ社パソコンの商品情報画像データを格納したデータファイルのファイル名［catalog.pc. ］とが求められる。そして、図７に示す手順の通信プロトコルＨＴＴＰでインターネット２への接続が行われる。これにより、インターネット２を介してＡ社サーバ３ａに接続され、その接続されたＡ社サーバ３ａにアクセスが行われて、Ａ社パソコンの商品情報画像データを格納したデータファイルが読出される。そして、このデータファイル内の画像データに基づいて、例えば図８に示すように、Ａ社パソコンの性能，特徴，仕様等の商品機能説明文とその外観画像とからなる商品情報画像５０がオペレータ用表示器１２及び客用表示器１３に表示される。
そこで店員は、オペレータ用表示器１２に表示された商品情報画像５０の内容から客の質問に答える。また客は、客用表示器１３に表示された商品情報画像５０の内容から自身で確認する。
【００２４】
このように、本実施の形態によれば、ＵＲＬ二次元データコード４３をスキャナ１６でスキャニングするだけのワンタッチ操作で、インターネット上のサーバに蓄積されたデータファイルをアクセスするためのアクセス情報を入力でき、このアクセス情報を１文字ずつキー入力する手間を省略できるので、サーバに蓄積された所望する商品の性能，形態等の商品情報を参照するまでの所要時間を大幅に短縮できる。
また、使用する通信プロトコルの種類やアクセス対象のＷＷＷサーバの名前及びデータファイルの名前を知らなくてもよい上、キーボードを操作して１文字ずつ入力する必要もないので、コンピュータの取扱いに不慣れなオペレータでも容易に所望する商品の情報を参照することができる。
【００２５】
さらに、本実施の形態の電子式キャッシュレジスタ１は、商品二次元データコードを読取り可能なスキャナ１６を有する従来の電子式キャッシュレジスタに、モデム３０を設けてインターネット２に接続するとともに、図４に示す商品情報キー処理と図５に示すスキャニング処理とを制御する業務プログラムをＲＡＭ２２のメインメモリにロードすることによって構成できるので、インターネット２を使用した商品情報参照システムを、小売店が容易かつ低コストで導入できる利点がある。
この場合、図４に示す商品情報キー処理と図５に示すスキャニング処理とを制御する業務プログラムは、コンピュータによって読取り可能な記録媒体として例えばフロッピーディスク１８に格納し、必要に応じてＦＤＤ１７からＲＡＭ２２にロードするようにすればよい。
【００２６】
なお、本発明は前記一実施の形態に限定されるものではない。
例えば、前記実施の形態ではアクセス情報を二次元データコードにエンコードしたが、バーコードにエンコードし、バーコードスキャナで読取るようにしてもよい。また、前記実施の形態ではＡ社サーバ３ａ及びＢ社サーバ３ｂからインターネット２を介して取得した商品情報の画像データをオペレータ用表示器１２と客用表示器１３とに表示させたが、いずれか一方の表示器に表示させるようにしてもよい。
【００２７】
また、本発明はインターネットに接続可能なパソコンに、スキャニング走査により二次元データコードやバーコード等を読取るスキャナを設けるとともに、このスキャナで読取ったコードを解析してアクセス情報を取得するコード解析手段を設けて、商品情報参照装置の専用機としてもよい。この場合、Ａ社サーバ３ａ及びＢ社サーバ３ｂからインターネット２を介して取得した商品情報の画像データをパソコンのディスプレイ画面に表示させるのでなく、プリンタにより記録紙に印字出力してもよい。
この他、本発明の要旨を逸脱しない範囲で種々変形実施可能であるのは勿論である。
【００２８】
【発明の効果】
以上詳述したように、本発明によれば、サーバに蓄積されたデータファイルをアクセスするためのアクセス情報を簡単なワンタッチ操作で入力することができ、所望する商品の性能，形態等の商品情報を参照するまでの所要時間を大幅に短縮できる商品販売登録データ処理装置を提供できる。
【図面の簡単な説明】
【図１】  本発明の一実施の形態を示すシステム図。
【図２】  同実施の形態における電子式キャッシュレジスタの外観図。
【図３】  同電子式キャッシュレジスタのブロック図。
【図４】  同電子式キャッシュレジスタのＣＰＵが実行する商品情報キー処理を示す流れ図。
【図５】  同電子式キャッシュレジスタのＣＰＵが実行するスキャニング処理を示す流れ図。
【図６】  同実施の形態で使用する製品リストの一例図。
【図７】  同実施の形態における通信プロトコルの一例を示す図。
【図８】  同実施の形態における商品情報画像の一例を示す図。
【符号の説明】
１…電子式キャッシュレジスタ、２…インターネット、３ａ…Ａ社サーバ、３ｂ…Ｂ社サーバ、１１…キーボード、１２…オペレータ用表示器、１３…客用表示器、１４…プリンタ、１６…スキャナ、２０…ＣＰＵ、３０…モデム。
【図１】
0003694295.tif 000002
【図２】
0003694295.tif 000003
【図３】
0003694295.tif 000004
【図４】
0003694295.tif 000005
【図５】
0003694295.tif 000006
【図６】
0003694295.tif 000007
【図７】
0003694295.tif 000008
【図８】
0003694295.tif 000009